(57)【要約】【課題】  商用交流電源に異常がある場合に適正な対応策を講ずる。【解決手段】  印刷装置において、当該印刷装置に対する商用交流電源の入力をオン、オフするスイッチと、商用交流電源の電源電圧の状態を監視する監視手段と、監視される電源電圧の状態が所定レベル状態の範囲を超える場合に電源異常を検出する検出手段（Ｓ２，Ｓ５，Ｓ６，Ｓ１１，Ｓ１２）と、電源異常が検出された場合に電源異常に関する警告を発する警告手段（Ｓ９，Ｓ１０，Ｓ１３，Ｓ１４）と、を備えることで、ユーザとしては使用している商用交流電源に異常にあることを確実に知ることができ、当該製品が破損したとしても破損した理由が明確になり、電源使用環境を変更し再発防止を図る等の適正な対応策を採ることができるようにした。【選択図】    図５
2006159888.tif 000002
【特許請求の範囲】
【請求項１】
印刷装置において、
当該印刷装置に対する商用交流電源の入力をオン、オフするスイッチと、
前記商用交流電源の電源電圧の状態を監視する監視手段と、
監視される前記電源電圧の状態が所定レベル状態の範囲を超える場合に電源異常を検出する検出手段と、
電源異常が検出された場合に電源異常に関する警告を発する警告手段と、
を備えることを特徴とする印刷装置。
【請求項２】
電源異常が検出された場合に前記スイッチをオフさせる電源遮断手段を有し、
前記警告手段は、前記スイッチのオフに伴い電源が切れるまでの間、表示部にその旨の全面警告表示を行なわせる、ことを特徴とする請求項１記載の印刷装置。
【請求項３】
電源異常が検出された場合に前記スイッチをオフさせる電源遮断手段を有し、
前記警告手段は、前記スイッチのオフに伴い電源が切れるまでの間、ブザーを鳴らし続ける、ことを特徴とする請求項１記載の印刷装置。
【請求項４】
電源異常が検出された場合に前記スイッチをオフさせる電源遮断手段を有し、
前記警告手段は、前記スイッチのオフに伴い電源が切れるまでの間、発光素子を点滅させる、ことを特徴とする請求項１記載の印刷装置。
【請求項５】
電源異常が検出された場合に前記スイッチをオフさせる電源遮断手段を有し、
前記警告手段は、前記スイッチのオフに伴い電源が切れるまでの間に、予め設定されている所定のアドレス宛にその旨の警告メールを送信する、ことを特徴とする請求項１記載の印刷装置。
【請求項６】
電源異常が検出された場合に前記スイッチをオフさせる電源遮断手段を有し、
前記警告手段は、前記スイッチのオフに伴い電源が切れるまでの間に、オンライン接続されていたホスト機の画面上でその旨の警告表示を行なわせる、ことを特徴とする請求項１記載の印刷装置。
【請求項７】
電源異常が検出された場合に前記スイッチをオフさせる電源遮断手段を有し、
前記警告手段は、前記スイッチのオフに伴い電源が切れるまでの間に、オンライン接続されている所定のウエブ（ＷＥＢ）上でその旨の警告表示を行なわせる、ことを特徴とする請求項１記載の印刷装置。
【請求項８】
前記所定レベル状態の範囲として、定格しきい値レベルに対して許容範囲レベルが設定自在であり、
前記検出手段は、監視される前記電源電圧の状態が定格しきい値レベル状態の範囲を超えるが前記許容範囲レベル状態の範囲内の場合には前記スイッチのオフを要しないレベルの電源異常として検出し、
前記警告手段は、前記電源異常が検出された場合に、表示部にその旨の全面警告表示を行なわせる、ことを特徴とする請求項１記載の印刷装置。
【請求項９】
前記全面警告表示に関するユーザ確認の指示を受け付ける手段を有し、
前記警告手段は、ユーザ確認の指示を受けた場合には、前記表示部の通常画面上での部分的な警告表示に切り換える、ことを特徴とする請求項８記載の印刷装置。
【請求項１０】
前記警告手段は、前記検出手段により前記電源電圧の状態が定格しきい値レベル状態の範囲内に復帰したことが検出された場合には、前記表示部の通常画面上での部分的な警告表示に切り換える、ことを特徴とする請求項８記載の印刷装置。
【請求項１１】
前記警告手段による全面警告表示時及び部分的な警告表示が行なわれている間、ユーザによる操作を不可能とする手段を備える、ことを特徴とする請求項１０記載の印刷装置。
【請求項１２】
電源異常が検出された場合に前記スイッチをオフさせる電源遮断手段を有し、
前記警告手段は、電源異常に伴う前記スイッチのオフ後の電源再投入時に、表示部に電源異常の旨の全面警告表示を行なわせる、ことを特徴とする請求項１記載の印刷装置。
【請求項１３】
前記全面警告表示に関するユーザ確認の指示を受け付ける手段を有し、
前記警告手段は、ユーザ確認の指示を受けた場合には、前記表示部の通常画面上での部分的な警告表示に切り換える、ことを特徴とする請求項１２記載の印刷装置。
【請求項１４】
前記警告手段による全面警告表示時が行なわれている間、ユーザによる操作を不可能とする手段を備える、ことを特徴とする請求項１２記載の印刷装置。
【請求項１５】
不揮発性メモリと、
前記検出手段により電源異常が検出された場合には前記スイッチのオフに先立ち前記不揮発性メモリに電源異常検出の際の機器設定状態情報を格納させる格納手段と、を有し、
前記警告手段は、電源異常に伴う前記スイッチのオフ後の電源再投入時に、前記不揮発性メモリに格納された機器設定状態情報に応じた設定状態に機器設定を復旧させる、ことを特徴とする請求項１２記載の印刷装置。
【請求項１６】
不揮発性メモリと、
前記検出手段により電源異常が検出された場合には前記スイッチのオフに先立ち前記不揮発性メモリに電源異常検出の際の機器設定状態情報を格納させる格納手段と、
機器の設定を通常設定とするか電源異常検出時の設定に復旧させるかに関するユーザの指示を受け付ける手段と、を有し、
前記警告手段は、電源異常に伴う前記スイッチのオフ後の電源再投入時に、機器の設定を通常設定とするとのユーザ指示が受け付けられた場合には機器設定を通常設定にし、機器の設定を電源異常検出時の設定に復旧させるとのユーザ指示が受け付けられた場合には前記不揮発性メモリに格納された機器設定状態情報に応じた設定状態に機器設定を復旧させる、
ことを特徴とする請求項１２記載の印刷装置。
【請求項１７】
前記全面警告表示に関するユーザ確認の指示を受け付ける手段を有し、
前記警告手段は、ユーザ確認の指示を受けた場合には、前記前面警告表示を部分的な警告表示に切り換える、ことを特徴とする請求項１５又は１６記載の印刷装置。
【請求項１８】
電源異常が検出された場合に前記スイッチをオフさせる電源遮断手段と、
不揮発性メモリと、
前記検出手段により電源異常が検出された場合には前記スイッチのオフに先立ち前記不揮発性メモリに電源異常情報を格納させる格納手段と、を有し、
前記警告手段は、電源異常に伴う前記スイッチのオフ後の電源再投入時に前記不揮発性メモリに格納された電源異常情報に基づき電源に関する警告表示を行なわせる、ことを特徴とする請求項１記載の印刷装置。
【請求項１９】
前記警告手段は、電源再投入時に予め設定されている所定の操作をした場合にのみ電源に関する警告表示を行なわせる、ことを特徴とする請求項１８記載の印刷装置。
【請求項２０】
前記電源に関する警告情報には、少なくとも異常検出時間、異常の種類、電圧値の情報を含む、ことを特徴とする請求項１９記載の印刷装置。
【請求項２１】
前記警告手段は、発光素子の発光状態を変化させることにより警告を発する、ことを特徴とする請求項１記載の印刷装置。
【請求項２２】
前記警告手段は、音声出力装置による音声出力により警告を発する、ことを特徴とする請求項１記載の印刷装置。
【請求項２３】
画像データに基づきマスタ原紙を製版し版胴に巻き付けるとともに前記マスタ原紙を所定長さに切断する製版部を備える、請求項１ないし２２の何れか一記載の印刷装置。
【発明の詳細な説明】
【技術分野】
【０００１】
本発明は、孔版印刷装置等の印刷装置に関する。
【背景技術】
【０００２】
一般に、各種ＯＡ、電気機器は、商用交流電源の電源電圧を入力させることにより当該機器の機能を発揮させるようにしている。
【０００３】
ところが、商用交流電源は不安定であることが多々ある。特に、国によっては電源事情が極めて不安定なこともある。例えば、発明者らの独自の調査によれば、中国市場において、定格電圧２２０Ｖであるにもかかわらず４１０Ｖ以上の高電圧が供給されてしまうことが時折観測され、ＯＡ、電気機器等の適用機器が破損している事実が確認されている。また、同時に瞬間的に電源が落ちてしまう現象（瞬断）も頻繁に発生し、これらの２つの現象が同時に発生することで、さらに不安定な不測の事態となっている。
【０００４】
この点、従来にあっては、印刷装置の例で、入力電圧の範囲が上述のように４００Ｖを超える異常電圧が入力された場合には、当該製品（印刷装置）が安全に破損するような対策を施しているに過ぎない。
【０００５】
【特許文献１】特開２００３−３４１２１１
【発明の開示】
【発明が解決しようとする課題】
【０００６】
即ち、従来技術においては、入力電源電圧が瞬間的に停止する状態、つまり、瞬断すると、その瞬断時間によっては当該製品の電源がオフしてしまい、また、入力電源電圧が定格電圧よりも異常に高い高電圧になると、当該製品が破損してしまう、という状態となる。
【０００７】
このような場合、ユーザとしては、当該製品（印刷装置）が破損するまで使用電源の異常に気づかないことが多いだけでなく、当該製品が破損しても当該製品自体の異常によるものと思い、使用電源の異常には気づかないことが多い。この結果、電源に異常がある場合であっても、同じ電源環境で再び修理後の当該製品又は代替製品を使用してしまうケースもあり、同じ不具合（電源異常による製品破損等）を引き起こしてしまう。
【０００８】
また一般に、この種の製品は、入力電圧範囲がＡＣ２８０Ｖ程度以下であれば、破損することがないように設計されているが、上述したように４００Ｖを超えるような異常な高電圧が供給された場合には、大抵の場合、コンデンサの破裂（爆音）となり、液漏れを起こし、異極間ショートとなるため、安全装置（ヒューズ、ブレーカ等）が働いて停止するため、安全に停止させることはほぼ不可能である。
【０００９】
なお、特許文献１には、製版動作中における電源遮断に際して、装置が各動作のうちのどの時点で停止したかを記憶し、電源再投入時において当該記憶された時点から動作を再開させるようにした孔版印刷装置が記載されている。しかしながら、このような特許文献１に記載された技術は、上述した問題に対して解決策を提供するものではない。
【００１０】
本発明の目的は、商用交流電源に異常がある場合に適正な対応策を講ずることである。
【課題を解決するための手段】
【００１１】
請求項１記載の発明は、印刷装置において、当該印刷装置に対する商用交流電源の入力をオン、オフするスイッチと、前記商用交流電源の電源電圧の状態を監視する監視手段と、監視される前記電源電圧の状態が所定レベル状態の範囲を超える場合に電源異常を検出する検出手段と、電源異常が検出された場合に電源異常に関する警告を発する警告手段と、を備える。
【００１２】
請求項２記載の発明は、請求項１記載の印刷装置において、電源異常が検出された場合に前記スイッチをオフさせる電源遮断手段を有し、前記警告手段は、前記スイッチのオフに伴い電源が切れるまでの間、表示部にその旨の全面警告表示を行なわせる。
【００１３】
請求項３記載の発明は、請求項１記載の印刷装置において、電源異常が検出された場合に前記スイッチをオフさせる電源遮断手段を有し、前記警告手段は、前記スイッチのオフに伴い電源が切れるまでの間、ブザーを鳴らし続ける。
【００１４】
請求項４記載の発明は、請求項１記載の印刷装置において、電源異常が検出された場合に前記スイッチをオフさせる電源遮断手段を有し、前記警告手段は、前記スイッチのオフに伴い電源が切れるまでの間、発光素子を点滅させる。
【００１５】
請求項５記載の発明は、請求項１記載の印刷装置において、電源異常が検出された場合に前記スイッチをオフさせる電源遮断手段を有し、前記警告手段は、前記スイッチのオフに伴い電源が切れるまでの間に、予め設定されている所定のアドレス宛にその旨の警告メールを送信する。
【００１６】
請求項６記載の発明は、請求項１記載の印刷装置において、電源異常が検出された場合に前記スイッチをオフさせる電源遮断手段を有し、前記警告手段は、前記スイッチのオフに伴い電源が切れるまでの間に、オンライン接続されていたホスト機の画面上でその旨の警告表示を行なわせる。
【００１７】
請求項７記載の発明は、請求項１記載の印刷装置において、電源異常が検出された場合に前記スイッチをオフさせる電源遮断手段を有し、前記警告手段は、前記スイッチのオフに伴い電源が切れるまでの間に、オンライン接続されている所定のウエブ（ＷＥＢ）上でその旨の警告表示を行なわせる。
【００１８】
請求項８記載の発明は、請求項１記載の印刷装置において、前記所定レベル状態の範囲として、定格しきい値レベルに対して許容範囲レベルが設定自在であり、前記検出手段は、監視される前記電源電圧の状態が定格しきい値レベル状態の範囲を超えるが前記許容範囲レベル状態の範囲内の場合には前記スイッチのオフを要しないレベルの電源異常として検出し、前記警告手段は、前記電源異常が検出された場合に、表示部にその旨の全面警告表示を行なわせる。
【００１９】
請求項９記載の発明は、請求項８記載の印刷装置において、前記全面警告表示に関するユーザ確認の指示を受け付ける手段を有し、前記警告手段は、ユーザ確認の指示を受けた場合には、前記表示部の通常画面上での部分的な警告表示に切り換える。
【００２０】
請求項１０記載の発明は、請求項８記載の印刷装置において、前記警告手段は、前記検出手段により前記電源電圧の状態が定格しきい値レベル状態の範囲内に復帰したことが検出された場合には、前記表示部の通常画面上での部分的な警告表示に切り換える。
【００２１】
請求項１１記載の発明は、請求項１０記載の印刷装置において、前記警告手段による全面警告表示時及び部分的な警告表示が行なわれている間、ユーザによる操作を不可能とする手段を備える。
【００２２】
請求項１２記載の発明は、請求項１記載の印刷装置において、電源異常が検出された場合に前記スイッチをオフさせる電源遮断手段を有し、前記警告手段は、電源異常に伴う前記スイッチのオフ後の電源再投入時に、表示部に電源異常の旨の全面警告表示を行なわせる。
【００２３】
請求項１３記載の発明は、請求項１２記載の印刷装置において、前記全面警告表示に関するユーザ確認の指示を受け付ける手段を有し、前記警告手段は、ユーザ確認の指示を受けた場合には、前記表示部の通常画面上での部分的な警告表示に切り換える。
【００２４】
請求項１４記載の発明は、請求項１２記載の印刷装置において、前記警告手段による全面警告表示時が行なわれている間、ユーザによる操作を不可能とする手段を備える。
【００２５】
請求項１５記載の発明は、請求項１２記載の印刷装置において、不揮発性メモリと、前記検出手段により電源異常が検出された場合には前記スイッチのオフに先立ち前記不揮発性メモリに電源異常検出の際の機器設定状態情報を格納させる格納手段と、を有し、前記警告手段は、電源異常に伴う前記スイッチのオフ後の電源再投入時に、前記不揮発性メモリに格納された機器設定状態情報に応じた設定状態に機器設定を復旧させる。
【００２６】
請求項１６記載の発明は、請求項１２記載の印刷装置において、不揮発性メモリと、前記検出手段により電源異常が検出された場合には前記スイッチのオフに先立ち前記不揮発性メモリに電源異常検出の際の機器設定状態情報を格納させる格納手段と、機器の設定を通常設定とするか電源異常検出時の設定に復旧させるかに関するユーザの指示を受け付ける手段と、を有し、前記警告手段は、電源異常に伴う前記スイッチのオフ後の電源再投入時に、機器の設定を通常設定とするとのユーザ指示が受け付けられた場合には機器設定を通常設定にし、機器の設定を電源異常検出時の設定に復旧させるとのユーザ指示が受け付けられた場合には前記不揮発性メモリに格納された機器設定状態情報に応じた設定状態に機器設定を復旧させる。
【００２７】
請求項１７記載の発明は、請求項１５又は１６記載の印刷装置において、前記全面警告表示に関するユーザ確認の指示を受け付ける手段を有し、前記警告手段は、ユーザ確認の指示を受けた場合には、前記前面警告表示を部分的な警告表示に切り換える。
【００２８】
請求項１８記載の発明は、請求項１記載の印刷装置において、電源異常が検出された場合に前記スイッチをオフさせる電源遮断手段と、不揮発性メモリと、前記検出手段により電源異常が検出された場合には前記スイッチのオフに先立ち前記不揮発性メモリに電源異常情報を格納させる格納手段と、を有し、前記警告手段は、電源異常に伴う前記スイッチのオフ後の電源再投入時に前記不揮発性メモリに格納された電源異常情報に基づき電源に関する警告表示を行なわせる。
【００２９】
請求項１９記載の発明は、請求項１８記載の印刷装置において、前記警告手段は、電源再投入時に予め設定されている所定の操作をした場合にのみ電源に関する警告表示を行なわせる。
【００３０】
請求項２０記載の発明は、請求項１９記載の印刷装置において、前記電源に関する警告情報には、少なくとも異常検出時間、異常の種類、電圧値の情報を含む。
【００３１】
請求項２１記載の発明は、請求項１記載の印刷装置において、前記警告手段は、発光素子の発光状態を変化させることにより警告を発する。
【００３２】
請求項２２記載の発明は、請求項１記載の印刷装置において、前記警告手段は、音声出力装置による音声出力により警告を発する。
【００３３】
請求項２３記載の発明は、請求項１ないし２２の何れか一記載の印刷装置において、画像データに基づきマスタ原紙を製版し版胴に巻き付けるとともに前記マスタ原紙を所定長さに切断する製版部を備える。
【発明の効果】
【００３４】
請求項１ないし２３記載の発明によれば、商用交流電源の電源電圧の状態を監視し、所定レベル状態の範囲を超える場合には電源異常として検出し、電源異常が検出された場合には警告手段により電源異常に関する警告を発するので、ユーザとしては使用している商用交流電源に異常にあることを確実に知ることができ、当該製品が破損したとしても破損した理由が明確になり、電源使用環境を変更し再発防止を図る等の適正な対応策を採ることができる。
【００３５】
請求項２ないし７記載の発明によれば、電源異常が検出された場合には、即座に電源遮断手段によってスイッチをオフさせて電源を遮断させるので、電源異常に伴う当該製品の破損を防止することもできる。特に、請求項５ないし７記載の発明によれば、電源異常に伴い電源が遮断された場合、ユーザは当該印刷装置のそばに居なくてもメールやホスト機の画面上或いはウエブを通じて即座に知ることができ、その理由を知ることもできる。
【００３６】
請求項８ないし１１記載の発明によれば、電源異常を検出するための所定レベル状態に関して、許容範囲レベルを持たせているので、スイッチのオフによる電源遮断を要しないレベルでの電源異常の検出も可能であり、実情に即した融通性の高い対処が可能となり、この場合でも電源異常には違いないので電源異常に関する警告を発することで、ユーザに電源異常を確実に知らせてより安定した電源使用環境への変更を促し再発防止を図る等の適正な対応策を採らせることができる。
【００３７】
請求項１２ないし２０記載の発明によれば、電源異常に伴うスイッチのオフ後の電源投入時にも電源異常に関する警告を発することで、ユーザに前回電源異常があった旨を確実に知らせてより安定した電源使用環境への変更を促し再発防止を図る等の適正な対応策を採らせることができる。
【００３８】
請求項１５ないし１７記載の発明によれば、電源異常に伴うスイッチのオフ後の電源再投入時に、電源異常検出の際の機器設定状態に機器の設定状態を復旧させることができ、したがって、そのための作業の省力化を図ることができる。
【発明を実施するための最良の形態】
【００３９】
本発明の一実施の形態を図面に基づいて説明する。本実施の形態の印刷装置は、孔版印刷装置への適用例を示し、図１にその孔版印刷装置の全体構成の概略縦断正面図を示す。
【００４０】
ここで、孔版印刷装置の基本的構造は周知であるので、簡単に説明する。この孔版印刷装置は、ＡＤＦ１を備えたスキャナ部２、製版部３、印刷部４、排版部５、給紙部６、排紙部７等により構成されている。
【００４１】
スキャナ部２は、原稿（図示せず）の画像を光学的に読み取るデジタルスキャナとしての構造を有する。製版部３は、スキャナ部２で読み取った画像データに応じてロール状のマスタ原紙をサーマルヘッドで熱溶融穿孔することによりマスタ８を製版するとともに印刷部４の版胴９に対して送り出し、この版胴９の外周面に巻き付け、その後端部をカッタ（図示せず）により所定長さに切断する。
【００４２】
印刷部４は、軸回りに回転駆動されてその外周面にマスタ８が巻き付けられる多孔性円筒状の版胴９、この版胴９の外周面に接離する位置に移動自在に設けられたプレスローラ１０、版胴９の内部に設けられたインキ供給部（図示せず）等により構成されている。この印刷部４では、マスタ８が巻き付けられた版胴９とプレスローラ１０とにより給紙部６から給紙された用紙１１を挟持し、このときに、インキ供給部から版胴９内に供給されているインキをマスタ８の穿孔部分から滲み出させて用紙１１に転写させることにより印刷を行う。
【００４３】
排版部５は、所定枚数の印刷が終了して不要になった使用済みのマスタ８を版胴９の外周面から剥がし、剥がしたマスタ８を収納する構造である。
【００４４】
給紙部６は、給紙台１２と、給紙台１２上にスライド自在に取り付けられた左右一対の給紙サイドフェンス１３等を備えた構造で、給紙台１２上に積層状態で載置された用紙１１を分離給紙して版胴９とプレスローラ１０との間に導く構造である。ここに、この給紙部６は、昇降機構（図示せず）を介してＤＣモータ（図示せず）により昇降自在に設けられており、最下位位置では装置本体側に畳める構造とされている。版胴９とプレスローラ１０との間に導かれて印刷が行われた用紙１１は、吸着搬送部１４により吸着搬送され、排紙部７に排紙される。給紙部６と排紙部７との間には、用紙１１が搬送される搬送経路１５が形成されている。搬送経路１５上には特に図示しないが用紙１１の搬送状態を検出する複数のジャム検知センサが配設されている。
【００４５】
排紙部７は、排紙台１６と、この排紙台１６上にスライド自在に取り付けられた左右一対の排紙サイドフェンス１７と、１個のエンドフェンス１８とを備えた構造である。
【００４６】
図２に、本実施の形態の孔版印刷装置に設けられている操作パネル２１の平面図を示す。この操作パネル２１には、後述する警告メッセージ等のような各種の情報を文字や絵柄で表示するタッチパネル構造のＬＣＤ２２、スキャナ部２による画像読取及び製版部３におけるマスタ８の製版を開始させる製版キー２３、印刷部４による印刷を開始させる印刷キー２４、試しプリントキー２５、ストップキー２６、テンキー２７、モード設定キー２８等が設けられている。
【００４７】
次に、本実施の形態の孔版印刷装置の電源系の概略構成例を図３のブロック図に示す。本実施の形態の孔版印刷装置は、商用交流電源（ＡＣ入力）を入力電源とするものであり、商用交流電源に対してはその入力をオン、オフするためのスイッチである電源スイッチ３１（リレー接点等でもよい）を介して電源装置３２が接続された電源回路３３が設けられている。この電源装置３２は入力された商用交流電源の電源電圧に基づき前述したモータ等の各部の負荷３４に対する駆動電圧を生成したり、各制御部に対する５Ｖ，２４Ｖ等の直流電圧を生成したりする機能を持つもので、本実施の形態では、商用交流電源の電源電圧により充電されることにより電源スイッチ３１がオフされた場合でも数秒間程度の電圧出力を確保できる容量を持つ充電器としてのキャパシタ３５を備えている。このような電源回路３３において、商用交流電源の電源電圧の状態を監視する機能や電源スイッチ３１を自動的にオフさせる機能を持たせた制御回路３６が設けられている。この制御回路３６は電源装置３２から直流電圧の供給を受けて動作する。
【００４８】
一方、Ｉ／Ｏ制御部等を介して前述した各部の負荷３４の動作を制御したりする機械制御ＣＰＵ３７が機械制御基板３８に搭載して設けられている。この機械制御ＣＰＵ３７も電源装置３２から直流電圧の供給を受けて動作するもので、図示しないＲＯＭ、ＲＡＭとともに当該孔版印刷装置全体の制御を受け持つマイクロコンピュータとして機能する。このような機械制御ＣＰＵ３７には、不揮発性メモリとしてのバックアップＲＡＭ３９が接続されている他、シリアル通信により操作パネル２１が接続され、さらに、制御回路３６から電源電圧の監視状態に関する出力信号が入力されるように接続されている。
【００４９】
ここに、制御回路３６から機械制御ＣＰＵ３７に与えられる電源監視信号としては、上限定格しきい値信号ａ、下限定格しきい値信号ｂ、上限異常電圧しきい値信号ｃ、下限異常電圧しきい値信号ｄの４種類の信号（Ｈレベル又はＬレベル）が割当てられている。
【００５０】
図４を参照してしきい値レベルとこれらの信号について説明する。まず、当該孔版印刷装置で使用する商用交流電源の定格電圧領域を規定するのが、上限定格しきい値Ｖａ〜下限定格しきい値Ｖｂである。これらの定格しきい値Ｖａ，Ｖｂは定格値に対して約±１０％の値として規定されている。さらに、上限異常電圧しきい値Ｖｃ、下限異常電圧しきい値Ｖｄは定格電圧領域に対して当該孔版印刷装置が破損したりしない範囲として余裕を見込んで任意に設定されたレベル値である。従って、本実施の形態では、しきい値Ｖｂ〜Ｖａを超える範囲がそのまま電源異常ではなく、しきい値Ｖｄ〜Ｖｃを超える範囲が電源異常として機械制御ＣＰＵ３７により検出されるように設定されている。しきい値Ｖｄ〜Ｖｃの値としては、例えば、日本では８５〜１５０Ｖ、中国では１８０〜３００Ｖの如く設定される。
【００５１】
このような条件下に、上限定格しきい値信号ａは、検出電圧が上限定格しきい値Ｖａより上がるとＨレベルからＬレベルに切り替わり、逆に、検出電圧が上限定格しきい値Ｖａ以下であればＬレベルからＨレベルに切り替わる。また、下限定格しきい値信号ｂは、検出電圧が下限定格しきい値Ｖｂより下がるとＨレベルからＬレベルに切り替わり、逆に、検出電圧が下限定格しきい値Ｖｂ以上であればＬレベルからＨレベルに切り替わる。上限異常電圧しきい値信号ｃは、検出電圧が上限異常電圧しきい値Ｖｃより上がるとＨレベルからＬレベルに切り替わり、逆に、検出電圧が上限以上電圧しきい値Ｖｃ以下であればＬレベルからＨレベルに切り替わる。また、下限異常電圧しきい値信号ｄは、検出電圧が下限異常電圧しきい値Ｖｄより下がるとＨレベルからＬレベルに切り替わり、逆に、検出電圧が下限異常電圧しきい値Ｖｄ以上であればＬレベルからＨレベルに切り替わる。
【００５２】
従って、機械制御ＣＰＵ３７は、制御回路３６から入力されるこれらの信号ａ〜ｄに基づき、上限異常電圧しきい値信号ｃ又は下限異常電圧しきい値信号ｄの何れかがＬレベルになった場合には、電源異常を検出する（検出手段の機能）。より具体的には、上限異常電圧しきい値信号ｃがＬレベルの場合には装置破損のおそれのある高電圧側の電源異常、下限異常電圧しきい値信号ｄがＬレベルの場合には電源瞬断のおそれのある低電圧側の電源異常として検出可能とされている。さらには、機械制御ＣＰＵ３７は、上限異常電圧しきい値信号ｃ、下限異常電圧しきい値信号ｄがＨレベルの状態であっても、上限定格しきい値信号ａ又は下限定格しきい値信号ｂの何れかがＬレベルになった場合には、電源スイッチ３１のオフを要しないレベルの電源異常（以下、「低レベルの電源異常」と称する）を検出する（検出手段の機能）。
【００５３】
このような構成において、商用交流電源の状況に基づき機械制御ＣＰＵ３７により実行される動作制御例を図５に示す概略フローチャート並びに図６ないし図１２に示すサブルーチンを参照して説明する。この処理は、例えばユーザがメインスイッチを投入し商用交流電源の電源がオンされることにより開始される（ステップＳ１）。そして、通常は前回は異常電源でオフしたのではないので（Ｓ２のＮ）、製版キー２３又は印刷キー２４が押下されるのを待つ（Ｓ３）。製版キー２３又は印刷キー２４が押下されれば（Ｓ３のＹ）、製版又は印刷のための前処理を行い（Ｓ４）、制御回路３６から与えられる信号ａ〜ｄに基づき機械動作中に上述したような電源異常、或いは、低レベルの電源異常があるか否かをチェックする（Ｓ５，Ｓ６）。何れの異常もなければ（Ｓ５のＮ，Ｓ６のＮ）、製版又は印刷のための後処理を行う（Ｓ７）。ちなみに、後述するようなバックアップＲＡＭ３９の電源異常情報及び低レベルの電源異常情報は、電源異常なく実動作が行われた場合にクリアされる（Ｓ８）。
【００５４】
一方、信号ｃ又は信号ｄがＬレベルとなる電源異常が検出された場合には（Ｓ５のＹ）、異常処理１が実行される（Ｓ９）。この異常処理１としては、図６に示すように、まず、バックアップＲＡＭ３９に電源異常の旨（Ｌレベルとなった信号の種類ｃ又はｄ等）を書き込む（Ｓ２１）とともに、制御回路３６を通じて電源スイッチ３１をオフさせて商用交流電源の入力を即座に遮断させる（Ｓ２３）。この電源スイッチ３１のオフに先立ち、操作パネル２１のＬＣＤ２２を通じて電源異常に関する警告表示として全面警告表示を行わせる（Ｓ２２）。図１３はこの場合の全面警告表示の一例として、「機械を使用している環境で電源異常の可能性がありますので電源を落とします」なるメッセージ例を示す。併せて、電源スイッチ３１のオフ後に、ここでは当該孔版印刷装置が製版又は印刷の動作中であるので、キャパシタ３５に充電された充電電圧を利用して当該孔版印刷装置を完全に電源オフさせてよい状態に移行させる電源オフに伴う後処理を実行させる（Ｓ２４）。例えば、製版部３においてマスタ原紙にサーマルヘッドにより穿孔製版中に電源異常が検出された場合であれば、電源スイッチ３１のオフに伴いサーマルヘッドによる穿孔製版動作を瞬時に停止させるとともに、製版部３のカッタはキャパシタ３５からの電力供給により稼動させてマスタ原紙の切断動作を実行させて処理を終える。従って、電源異常があった場合、４００Ｖを超える高電圧等に至る前に瞬時に停止させるので、当該孔版印刷装置が破損することなく安全に停止するとともに、停止状態としても、作業途中のマスタ原紙がロール状の本体に繋がったままとはなっておらず、マスタ原紙廃棄処理が容易であり、電源再投入時の無駄な引き出し等のトラブルも生じない。また、商用交流電源の電源電圧の状態を監視し、所定レベル状態の範囲を超える場合には電源異常として検出し、電源異常が検出された場合には電源異常に関する警告として全面警告表示を行なうので、ユーザとしては使用している商用交流電源に異常にあることを確実に知ることができ、当該製品が破損したとしても破損した理由が明確になり、電源使用環境を変更し再発防止を図る等の適正な対応策を採ることができる。
【００５５】
ここに、ステップＳ５のＹの処理が、検出手段の機能として実行される。また、ステップＳ２１の処理が格納手段の機能として実行され、ステップＳ２２の処理が警告手段の機能として実行され、ステップＳ２３の処理が電源遮断手段の機能として実行される。
【００５６】
なお、図６中のステップＳ２２（図７の場合も同様）では、電源異常に関する警告として、ＬＣＤ２２（表示部）にその旨の全面警告表示を行なわせるようにしたが、これに代えて、電源スイッチ３１のオフに伴い電源が切れるまでの間、ブザーを鳴らし続けることで警告したり、電源スイッチ３１のオフに伴い電源が切れるまでの間、ＬＥＤ等の発光素子を点滅させることで警告したりするようにしてもよい。さらには、当該印刷装置がインターネット等の通信網に接続されている場合には、電源スイッチ３１のオフに伴い電源が切れるまでの間に、予め設定されている所定のアドレス宛の端末機器等に電源異常に関する警告メールを送信することで警告したり、当該印刷装置にホスト機がオンライン接続されている場合には、電源スイッチ３１のオフに伴い電源が切れるまでの間に、オンライン接続されていた当該ホスト機の画面上でその旨の警告表示（例えば、サービスマンコール）を行なわせることで警告したりするようにしてもよい。
【００５７】
一方、同じ電源異常でも、信号ｃ及び信号ｄがＨレベルで信号ａ又は信号ｂがＬレベルとなる低レベルの電源異常が検出された場合には（Ｓ６のＹ）、異常処理３が実行される（Ｓ１０）。この異常処理３としては、図８に示すように、まず、バックアップＲＡＭ３９に低レベルの電源異常の旨（Ｌレベルとなった信号の種類ａ又はｂ等）を書き込む（Ｓ３１）とともに、操作パネル２１のＬＣＤ２２を通じて低レベルの電源異常に関する警告表示として全面警告表示を行わせ（Ｓ３２）、ユーザに電源事情に関する警告を促す。この場合、ＬＣＤ２２では、図１４に示すように「機械を使用している環境で電源異常の可能性があります」の如き全面警告メッセージが表示される。これにより、ユーザは電源事情が悪いことを認識でき、電源異常で機械が停止してしまう事態に至るのを未然に防止するのに役立つ。この状態で、図１４中に示す「確認キー」（ユーザ確認の指示を受け付ける手段）を押下すると（Ｓ３３のＹ）、図１５（ａ）（ｂ）に示す表示が交互になされる（Ｓ３４）。即ち、図１５（ａ）に示すような通常表示画面と、図１５（ｂ）に示すような通常表示画面上での「電源異常で、機械が停止するおそれがあります」の如き１行警告表示のような部分的な警告表示との交互表示による軽い警告表示に切り替えられる。これにより、ユーザは電源スイッチ３１がオフしないとしても電源事情が悪いことを認識でき、電源異常で機械が停止してしまう事態に至るのを未然に防止するのに役立つ。
【００５８】
ここに、ステップＳ６の処理が検出手段の機能として実行され、ステップＳ３１の処理が格納手段の機能として実行され、ステップＳ３２，Ｓ３４の処理が警告手段の機能として実行される。
【００５９】
なお、異常処理３の処理例としては、例えば図９に示すように、低レベルの電源異常が検出され、全面警告表示を行なわせた後（Ｓ３２）、引き続き、電源状態を検出し、電源電圧が定格しきいち値レベル状態の範囲内（定格範囲内）に復帰したことが検出された場合には（Ｓ３５）、図１５（ａ）（ｂ）に示す表示が交互になされる（Ｓ３４）ようにしてもよい。なお、図９に示す処理例の場合の全面警告表示は、例えば、図１６に示すように「機械を使用している環境で電源異常の可能性があります」の如き全面警告メッセージのみの表示、或いは、図１７に示すように「サービスコール    故障箇所ＸＸＸＸＸＸ  ＸＸ−ＸＸＸＸ−ＸＸＸＸに問い合わせてください」の如きサービスマンコールによる全面警告メッセージのみの表示とし、図１４に示したような「確認」キーを表示させないことでユーザ操作が不可能とされる。これにより、電源異常に対する対応をサービスマン等の専門家に任せることができる。
【００６０】
一方、製版キー２３及び印刷キー２４が押下されていない状態で（Ｓ３のＮ）、制御回路３６から与えられる信号ａ〜ｄに基づき上述したような電源異常或いは低レベルの電源異常があるか否かをチェックする（Ｓ１１，Ｓ１２）。まず、許容範囲に収まる低レベルの電源異常ではなく、信号ｃ又は信号ｄがＬレベルとなる電源異常が検出された場合には（Ｓ１１のＹ）、異常処理２が実行される（Ｓ１３）。この異常処理２としては、図７に示すように、まず、バックアップＲＡＭ３９に電源異常の旨（Ｌレベルとなった信号の種類ｃ又はｄ等）を書き込む（Ｓ２１）とともに、制御回路３６を通じて電源スイッチ３１をオフさせて商用交流電源の入力を即座に遮断させる（Ｓ２３）。この電源スイッチ３１のオフに先立ち、操作パネル２１のＬＣＤ２２を通じて電源異常に関する警告表示として全面警告表示を行わせる（Ｓ２２）。図１３はこの場合の全面警告表示の一例として、「機械を使用している環境で電源異常の可能性がありますので電源を落とします」なるメッセージ例を示す。即ち、異常処理２は異常処理１中のステップＳ２４の処理を除いた処理である。
【００６１】
このように、商用交流電源の電源電圧の状態を監視し、所定レベル状態の範囲を超える場合には電源異常として検出し、電源異常が検出された場合には電源異常に関する警告として全面警告表示を行なうので、ユーザとしては使用している商用交流電源に異常にあることを確実に知ることができ、当該製品が破損したとしても破損した理由が明確になり、電源使用環境を変更し再発防止を図る等の適正な対応策を採ることができる。
【００６２】
ここに、ステップＳ１１のＹの処理が、検出手段の機能として実行される。また、ステップＳ２１の処理が格納手段の機能として実行され、ステップＳ２２の処理が警告手段の機能として実行され、ステップＳ２３の処理が電源遮断手段の機能として実行される。
【００６３】
一方、信号ｃ及び信号ｄがＨレベルで信号ａ又は信号ｂがＬレベルとなる低レベルの電源異常が検出された場合には（Ｓ１２のＹ）、前述の異常処理３が実行される。
【００６４】
ところで、当初の電源オンの処理（Ｓ１）に戻ると、前回の電源オフ時には電源異常で強制的にオフされたか否かをバックアップＲＡＭ３９に格納された電源異常情報や低レベル電源異常情報に基づき判断する（Ｓ２）。前回電源異常により電源オフした後の電源再投入の場合には（Ｓ２のＹ）、異常処理４が実行される（Ｓ１４）。この異常処理４としては、図１０（ａ）に示すように、まず、操作パネル２１のＬＣＤ２２を通じて電源異常に関する警告表示として全面警告表示を行わせ（Ｓ４１）、ユーザに電源事情に関する警告を促す。この場合、ＬＣＤ２２では、図１４（ａ）に示すように「機械を使用している環境で電源異常の可能性があります」の如き全面警告メッセージが表示される。これにより、ユーザは電源事情が悪いことを認識でき、電源異常で機械が停止してしまう事態に至るのを未然に防止するのに役立つ。この状態で、図１４（ａ）中に示す「確認キー」（ユーザ確認の指示を受け付ける手段）を押下すると（Ｓ４２のＹ）、図１５（ａ）（ｂ）に示す表示が交互になされる（Ｓ４３）。即ち、図１５（ａ）に示すような通常表示画面と、図１５（ｂ）に示すような通常表示画面上での「電源異常で、機械が停止するおそれがあります」の如き１行警告表示のような部分的な警告表示との交互表示による軽い警告表示に切り替えられる。これにより、前回使用時に電源事情が悪かったことを認識でき、電源異常で機械が停止してしまう事態に至るのを未然に防止するのに役立つ。
【００６５】
図１０（ｂ）に示す処理は、異常処理４の別の実施の形態である。操作パネル２１のＬＣＤ２２を通じて電源異常に関する警告表示として全面警告表示を行わせ（Ｓ４１）、ユーザに電源事情に関する警告を促すまでは図１０（ａ）に示す処理と共通する。この状態で、図１４（ａ）中に示す「確認キー」が押下されると（Ｓ４２のＹ）、電源オフ時のパネル設定に戻り、１行警告表示がなされる。つまり、異常処理２でのステップＳ２１の処理又は異常処理３でのステップＳ３１の処理において、バックアップＲＡＭ３９には、電源異常の旨の他、電源異常検出の際の機器設定状態情報を格納させておく（格納手段）。ここでいう機器設定状態がパネル設定に相当する。電源異常検出の際というのは、ある程度の幅をもった時間を意味し、一例として、電源異常検出時から電源オフ時までの時間範囲は電源異常検出の際に含まれる。図１４（ａ）中に示す「確認キー」が押下されると（Ｓ４２のＹ）、バックアップＲＡＭ３９に格納された電源異常検出の際の機器設定状態情報に応じた設定状態に機器設定を復旧し、操作パネル２１のＬＣＤ２２に一行警告表示を表示させる（ステップＳ４３）。この場合、図１５に例示したような警告表示の切り替えを実行しても良い。
【００６６】
図１０（ｃ）に示す処理は、異常処理４の更に別の実施の形態である。操作パネル２１のＬＣＤ２２を通じて電源異常に関する警告表示として全面警告表示を行わせ（Ｓ４１）、ユーザに電源事情に関する警告を促すまでは図１０（ａ）に示す処理と共通する。この状態で、図１４（ａ）中に示す「確認キー」が押下されると（Ｓ４２のＹ）、操作パネル２１のＬＣＤ２２に、電源オフ前のパネル設定に戻すかどうかを尋ねる警告表示を行わせる（ステップＳ４３−１）。この警告表示は、一例として、図１４（ｂ）に示すような表示である。図１４（ｂ）に示すように、ユーザには「はい」と「いいえ」との選択肢が与えられる。ここに、機器の設定を通常設定とするか電源異常検出時の設定に復旧させるかに関するユーザの指示を受け付ける手段の機能が実行される。
【００６７】
図１４（ｂ）に例示する警告表示において、ユーザが「はい」を選択すると（Ｓ４３−２のＹ）、電源オフ時のパネル設定に戻り、１行警告表示がなされる。つまり、異常処理２でのステップＳ２１の処理又は異常処理３でのステップＳ３１の処理において、バックアップＲＡＭ３９には、電源異常の旨の他、電源異常検出の際の機器設定状態情報を格納させておく（格納手段）。ここでいう機器設定状態がパネル設定に相当する。電源異常検出の際というのは、ある程度の幅をもった時間を意味し、一例として、電源異常検出時から電源オフ時までの時間範囲は電源異常検出の際に含まれる。図１４（ｂ）中に示す「はい」が選択されると（Ｓ４３−２のＹ）、バックアップＲＡＭ３９に格納された電源異常検出の際の機器設定状態情報に応じた設定状態に機器設定を復旧し、操作パネル２１のＬＣＤ２２に「電源異常で、機械が停止するおそれがあります」の如き一行警告表示を表示させる（ステップＳ４３）。この場合、図１５に例示したような警告表示の切り替えを実行しても良い。
【００６８】
これに対して、図１４（ａ）に例示する警告表示において、ユーザが「いいえ」を選択すると（Ｓ４３−２のＮ）、機器設定が通常設定、つまりデフォルト設定とされ、操作パネル２１のＬＣＤ２２には、通常画面上で、「電源異常で、機械が停止するおそれがあります」の如き一行警告表示を表示させる（ステップＳ）。この場合、図１５に例示したような警告表示の切り替えを実行しても良い。
【００６９】
以上説明した図１０（ｂ）又は図１０（ｃ）に例示する異常処理４によれば、前回使用時に電源事情が悪かったことをユーザに認識させて電源異常で機械が停止してしまう事態に至るのを未然に防止するのに役立つばかりでなく、電源異常検出の際の機器設定状態に機器の設定状態を復旧させることができ、したがって、そのための作業の省力化を図ることができる。
【００７０】
以上説明したステップＳ４１，Ｓ４３（Ｓ４３−３、Ｓ４３−５）の処理は、警告手段の機能として実行される。
【００７１】
なお、異常処理４としては、図１１に示すように、ユーザ操作不可能な状態でのサービスマンコールによる全面警告表示とし（Ｓ４４、図１７表示例参照）、サービスマンによる処理を待つようにしてもよい。
【００７２】
また、異常処理４としては、図１２に示すように、電源異常検出により電源が切れた場合の電源再投入時に、予め設定されている所定の操作、例えば、複数の所定キーを押しながら電源を投入する操作をしたか否かをチェックし（Ｓ４５）、所定の操作を伴わずに単に電源が再投入された場合には（Ｓ４５のＮ）、即座に電源スイッチ３１を強制的にオフさせる一方（Ｓ４６）、所定の操作を伴う場合のみ（Ｓ４５のＹ）、バックアップＲＡＭ３９に格納されている電源に関する警告情報を操作パネル２１のＬＣＤ２２に警告表示させる（Ｓ４７）ようにしてもよい。
【００７３】
図１８はこのステップＳ４７による警告表示例を示す操作パネル２１のＬＣＤ２２の表示画面例である。即ち、
「電源異常  
検知時間：２００Ｘ年ＸＸ月ＸＸ日ＸＸ時ＸＸ分
異常種類：ＸＸＸＸＸ    電圧値：ＸＸＸ      温度：ＸＸＸ℃
機械の動作モード：ＸＸＸＸＸ    印刷条件：ＸＸＸＸＸＸＸ」
等の警告情報が表示される。ここに、異常種類とは、高電圧、低電圧、瞬断の区別であり、機械の動作モードとは、ＡＤＦの使用状況、バンクの使用状況、周辺機の使用状況等であり、印刷条件とは、印刷枚数、製版回数、製版濃度（薄い、普通、濃い）である。
【００７４】
これにより、例えば一般ユーザの場合には、所定の操作を知らないことから電源を再投入しても電源が直ぐに切れることで当該装置の使用を強制的に禁止させることができる一方、サービスマンの場合には所定の操作を行なうことで電源異常に関する詳細情報を取得して適切に対処することができる。
【００７５】
なお、前述の処理例では、電源異常に関する警告手段として、主に、ＬＣＤ２２（表示部）による警告表示例を挙げたが、この他、例えば警告用ＬＥＤ（発光素子）を設け、通常は青色発光させるが、電源異常が検出された場合には赤色発光又は赤色点滅の如く、発光状態を変化させることで警告に利用するようにしてもよい。また、音声出力装置を備え、音声ブザー、警告メロディ或いは警告音声ガイドなる音声出力を可能とし、通常は無音とするが、電源異常が検出された場合には、音声ブザー、警告メロディ或いは警告音声ガイドを警告として発するようにしてもよい。
【００７６】
また、より実際的な例としては、孔版印刷装置のような印刷装置Ｐは、図１９に示すように、ホスト機であるホストＰＣ４１などに通信インタフェース４２を介して接続されて使用される。ここに、印刷装置Ｐは、メカ的な印刷機本体（エンジン）４３と、この印刷機本体４３を制御するプリンタコントローラ４４とからなる。プリンタコントローラ４４は、印刷機本体４３等の全体制御を受け持つメイン制御部４５を有し、このメイン制御部４５には、ホストＰＣ４１等の間の通信を制御するホスト通信・制御部４６や、受信した印刷画像データに対して所定の画像処理を施す画像処理制御部４７や、画像処理されてメモリ４８に蓄積された画像データを印刷機本体４３側に送信出力したりするエンジン通信・制御部４９が接続されている。図中、太線矢印は画像データの流れを示し、細線矢印は制御データの流れを示す。
【００７７】
通信インタフェース４２としては、パラレルインタフェース、ＵＳＢ、ＩＥＥＥ１３９４等が適宜用いられる。また、ホスト通信・制御部４６に対しては、イーサネット（登録商標）等のＬＡＮ５０を介してルータ５１が接続され、このルータ５１にはインターネット通信網等を介してウエブ端末（ＷＥＢ）５２が適宜接続されている。さらに、ホストＰＣ４１・ルータ５１間もイーサネット（登録商標）等のＬＡＮ５０を介して接続されている。なお、ホストＰＣ４１には、孔版印刷装置等の印刷装置Ｐの他に、コピー機、或いは、レーザプリンタ、インクジェットプリンタ等が接続されていてもよい。
【００７８】
このようなシステム構成において、前述したような電源に関する警告処理を行う制御機能はメイン制御部４５中に組み込まれている。
【００７９】
このようなシステム構成において、印刷枚数が多い場合には、印刷装置Ｐを使用して印刷出力するケースが多い。これは、ランニングコストで比較すると、印刷枚数が少ない場合にはコピー機やプリンタの方が安く済むが、印刷枚数が多いと印刷装置の方が安く済むためである。また、印刷枚数が多くなると、印刷終了まで時間がかかるため、通常は、印刷装置Ｐから離れてしまう。
【００８０】
そこで、このようなケースを想定し、図１９に示すようなシステム構成の場合には、前述したように電源異常が検出されて電源スイッチ３１を自動的にオフさせる際、電源スイッチ３１のオフに伴い電源が切れるまでの間に、オンライン接続されているホストＰＣ４１の画面上でその旨の警告表示を行わせたり、或いは、オンライン接続されている所定のウエブ端末５２上でその旨の警告表示を行なわせたり、或いは、予め設定されている所定のアドレス宛にその旨の警告メールを送信することで、該当ユーザに知らせることは効果的である。即ち、電源異常に伴い電源が遮断された場合、ユーザは当該印刷装置Ｐのそばに居なくてもメールやホストＰＣ４１の画面上或いはウエブ端末５２を通じて即座に知ることができ、その理由を知ることもでき、適正な対処を採ることができる。
【図面の簡単な説明】
【００８１】
【図１】本発明の一実施の形態の孔版印刷装置の全体構成を示す概略縦断正面図である。
【図２】その操作パネルを示す平面図である。
【図３】電源系の概略構成例を示すブロック図である。
【図４】各しきい値レベルに関する説明図である。
【図５】商用交流電源の状況に基づき機械制御ＣＰＵにより実行される動作制御例を示す概略フローチャートである。
【図６】異常処理１の処理例を示すサブルーチンである。
【図７】異常処理２の処理例を示すサブルーチンである。
【図８】異常処理３の処理例を示すサブルーチンである。
【図９】異常処理３の処理例の変形例を示すサブルーチンである。
【図１０】異常処理４の処理例を示すサブルーチンである。
【図１１】異常処理４の処理例の変形例を示すサブルーチンである。
【図１２】異常処理４の処理例の別の変形例を示すサブルーチンである。
【図１３】表示画面例を示す平面図である。
【図１４】表示画面の他例を示す平面図である。
【図１５】表示画面の他例を示す平面図である。
【図１６】表示画面の他例を示す平面図である。
【図１７】表示画面の他例を示す平面図である。
【図１８】表示画面の他例を示す平面図である。
【図１９】ホストＰＣ等を含むシステム構成例を示す概略ブロック図である。
【符号の説明】
【００８２】
３      製版部
２２      表示部
３１      スイッチ
３９      不揮発性メモリ
【図１】
2006159888.tif 000003
【図２】
2006159888.tif 000004
【図３】
2006159888.tif 000005
【図４】
2006159888.tif 000006
【図５】
2006159888.tif 000007
【図６】
2006159888.tif 000008
【図７】
2006159888.tif 000009
【図８】
2006159888.tif 000010
【図９】
2006159888.tif 000011
【図１０】
2006159888.tif 000012
【図１１】
2006159888.tif 000013
【図１２】
2006159888.tif 000014
【図１３】
2006159888.tif 000015
【図１４】
2006159888.tif 000016
【図１５】
2006159888.tif 000017
【図１６】
2006159888.tif 000018
【図１７】
2006159888.tif 000019
【図１８】
2006159888.tif 000020
【図１９】
2006159888.tif 000021